(57)【要約】【課題】【解決手段】給版ローラ２４，２８により供給されるプレート１２の前端縁が一対の第１の位置決めピン５２Ａ、５２Ｂに、一方の側縁１２ａが基準ピン３６にそれぞれ当接され、基準ピン３６を通る、第１の位置決めピン５２Ａ、５２Ｂどうしを結ぶ直線Ｌ１に対し平行な直線Ｌ２よりも、プレート供給方向上流側であって、第１の位置決めピン５２Ａ、５２Ｂに当接したプレート１２の他側縁１２ｂに隣接した位置に、プレート１２を基準ピン３６に向けて押圧する押圧ピン４２が配備され、給版ローラ２４，２８に回転を継続させたまま前記押圧ピン４２を前記プレート１２に押し当てることにより前記一対の第１の位置決めピン５２Ａ、５２Ｂと基準ピン３６とによる位置決めを行わさせて、その後、該プレート１２を回転ドラム５０に供給させる。【選択図】      図９
2004294531.tif 000002
【特許請求の範囲】
【請求項１】
回転ドラムに巻きつけられたプレートに画像を露光する画像露光装置において、
前記プレートを前記回転ドラムに向けて供給する給版手段、
前記給版手段により搬送されるプレートの前端縁に当接してプレート前端縁を規制する一対の第１の位置決めピン、
前記一対の第１の位置決めピンに当接したプレートの一方の側縁に当接して該プレートの横位置を規制する基準ピン、
前記基準ピンを通る、前記第１の位置決めピンどうしを結ぶ直線に対し平行な直線よりも、プレート供給方向上流側であって、前記一対の第１の位置決めピンに当接したプレートの、前記一方の側縁とは反対側の側縁に隣接した位置に設けられ、該プレートの供給方向に交わるプレート幅方向に移動自在であるとともに該プレートに向かう方向にばね付勢され、前記プレートを前記基準ピンに向けて押圧する押圧ピン、および
前記給版手段により前記プレートを搬送し前記一対の第１の位置決めピンに当接させ、該給版手段による搬送を継続させたまま前記押圧ピンを前記プレートに押し当て、押し当てた後離間させることにより前記一対の第１の位置決めピンと前記基準ピンとによる位置決めを行わさせる制御部を備えたことを特徴とする画像露光装置。
【請求項２】
この画像露光装置は、プレートにパンチ孔を穿設するパンチ装置を備え、該パンチ装置でプレートにパンチ孔を穿設しパンチ孔が穿設されたプレートを前記回転ドラムに巻き付けて露光するものであり、
前記給版手段、前記基準ピン、および前記押圧ピンが組み込まれ、姿勢を変えることにより、前記給版手段で、前記プレートを前記パンチ装置に供給すると共に、穿孔後のプレートを前記回転ドラムに供給する給版ガイドユニット、および前記給版ガイドユニットにより前記パンチ装置に向けて供給されるプレートの前端縁に当接してプレート前端縁を規制する一対の第２の位置決めピンを備え、
前記制御部は、
前記給版ガイドユニットにより前記プレートが前記パンチ装置に向けて供給されたときには、該プレートを前記一対の第２の位置決めピンに当接させ、前記給版手段を回転させたまま前記押圧ピンを前記プレートに押し当て、押し当てた後離間させることにより前記一対の第２の位置決めピンと前記基準ピンとによる該プレートの位置決めを行い、位置決め後プレートにパンチを行うものであり、
前記給版ガイドユニットにより前記プレートが前記回転ドラムに向けて供給されたときには、該プレートを前記一対の第１の位置決めピンに当接させ、前記給版手段を回転させたまま前記押圧ピンを前記プレートに押し当て、押し当てた後離間させることにより前記一対の第１の位置決めピンと前記基準ピンとによる該プレートの位置決めを行い、位置決め後プレートを回転ドラムに巻き付けるものであることを特徴とする請求項１記載の画像露光装置。
【請求項３】
前記プレート幅方向に移動自在の移動体と、前記プレートの面に平行に回転自在に該移動体に軸支され、回動中心から前記プレートに近づきつつ該プレートの供給方向上流側に延び、先端に前記押圧ピンが取り付けられて該押圧ピンが前記プレートに近づく方向にばね付勢された回動アームとを備え、前記押圧ピンは、前記移動体が前記プレート幅方向に移動自在なものであることにより、該プレート幅方向に移動自在なものであることを特徴とする請求項１記載の画像露光装置。
【請求項４】
前記位置決めピン、基準ピン、および押圧ピンは各々の中心軸回りに回転自在に支持されたローラであることを特徴とする請求項１記載の画像露光装置。
【発明の詳細な説明】
【０００１】
【発明の属する技術分野】
本発明は、プレートに画像を記録する画像露光装置に関する。
【０００２】
【従来の技術】
従来、アルミニウム等のプレートに画像を露光した印刷版を作成する画像露光装置として、回転ドラムにプレートを巻き付けて、回転ドラムと共にプレートを回転しながら、画像データに応じた光ビームをプレートに照射することにより、プレートを照射露光するものがある（例えば、特許文献１参照）。
【０００３】
この画像露光装置は、プレートを搬送コンベア上で斜め下方へ搬送し、このプレートの先端を第１の位置決め用の一対のピンローラに当接させて搬送方向の前端の位置決めを行った後、搬送コンベアをプレート搬送方向に直交する幅方向に移動させ、プレートの側部を第２の位置決めピンに当接させて幅方向の位置決めを行う。その後、このプレートがパンチャーに挿入され、回転ドラムに巻き付けるときの位置決めに用いられる切欠がプレート前端に形成されるようになっている。
【０００４】
【特許文献１】
特開２００１−３５６４８９号公報（第７頁、図４）
【０００５】
【発明が解決しようとする課題】
上記した従来の画像露光装置は、一対の第１の位置決めピンと幅方向の第２の位置決めピンとで、プレートの３点位置決めを行っているが、プレートを幅方向移動させるために搬送コンベアを移動させているため、幅方向移動の構造が大掛かりになるという問題がある。
【０００６】
また、回転ドラムへの位置決めのため、パンチャーによりプレートの先端に位置決め用の切欠を形成しているが、パンチャーは高耐久性、高精度のものが要求されるため、設備が高価になるという問題もある。
【０００７】
ところで、画像が露光されたプレート（印刷版）を輪転機に巻きつけて印刷を行う際の基準となるパンチ孔を穿孔するためのパンチ装置を備えた画像露光装置において、パンチ工程と回転ドラム巻き付け工程とで同じ３点位置決めを行うことで安価かつ高精度のプレート位置決め行う方法が考えられている。しかし、この方法の場合、３点の位置決めピンへの突き当て姿勢が常に一定になるとはかぎらないため、プレートの突き当て再現性の確保が問題となる。
【０００８】
本発明は、上記事情に鑑み、安価な方法で高精度の３点位置決めを可能にした画像露光装置を提供することを目的とする。
【０００９】
【課題を解決するための手段】
上記目的を達成する本発明の画像露光装置は、回転ドラムに巻きつけられたプレートに画像を露光する画像露光装置において、
前記プレートを前記回転ドラムに向けて供給する給版手段、
前記給版手段により搬送されるプレートの前端縁に当接してプレート前端縁を規制する一対の第１の位置決めピン、
前記一対の第１の位置決めピンに当接したプレートの一方の側縁に当接して該プレートの横位置を規制する基準ピン、
前記基準ピンを通る、前記第１の位置決めピンどうしを結ぶ直線に対し平行な直線よりも、プレート供給方向上流側であって、前記一対の第１の位置決めピンに当接したプレートの、前記一方の側縁とは反対側の側縁に隣接した位置に設けられ、該プレートの供給方向に交わるプレート幅方向に移動自在であるとともに該プレートに向かう方向にばね付勢され、前記プレートを前記基準ピンに向けて押圧する押圧ピン、および
前記給版手段により前記プレートを搬送し前記一対の第１の位置決めピンに当接させ、該給版手段による搬送を継続させたまま前記押圧ピンを前記プレートに押し当て、押し当てた後離間させることにより前記一対の第１の位置決めピンと前記基準ピンとによる位置決めを行わさせる制御部を備えたことことを特徴とする。
【００１０】
本発明の画像露光装置によれば、給版ローラにより搬送されてきたプレートの前端縁の２点が一対の第１の位置決めピンに突き当てられてプレート前端位置を規制し、プレートの一方の側縁に基準ピンが当接して該プレートの横位置を規制すると共に、基準ピンを通る、第１の位置決めピンどうしを結ぶ直線に対し平行な直線よりも、プレート供給方向上流側であって、基準ピン側の側縁とは反対側の側縁を押圧ピンで押圧する。これにより、プレートには基準ピンを支点に押圧ピンに近い側の第１の位置決めピンから離れる方向の回転モーメントが加わる。この状態から、押圧ピンがプレートの側縁から離間すると、給版ローラの回転でプレートに前進力が加わり、その分力で基準ピンに近づき、一対の第１の位置決めピンと基準ピンでの３点で正確に位置決めされる。
【００１１】
この画像露光装置は、プレートにパンチ孔を穿設するパンチ装置を備え、該パンチ装置でプレートにパンチ孔を穿設しパンチ孔が穿設されたプレートを前記回転ドラムに巻き付けて露光するものであり、
前記給版手段、前記基準ピン、および前記押圧ピンが組み込まれ、姿勢を変えることにより、前記給版手段で、前記プレートを前記パンチ装置に供給すると共に、穿孔後のプレートを前記回転ドラムに供給する給版ガイドユニット、および前記給版ガイドユニットにより前記パンチ装置に向けて供給されるプレートの前端縁に当接してプレート前端縁を規制する一対の第２の位置決めピンを備え、
前記制御部は、
前記給版ガイドユニットにより前記プレートが前記パンチ装置に向けて供給されたときには、該プレートを前記一対の第２の位置決めピンに当接させ、前記給版手段を回転させたまま前記押圧ピンを前記プレートに押し当て、押し当てた後離間させることにより前記一対の第２の位置決めピンと前記基準ピンとによる該プレートの位置決めを行い、位置決め後プレートにパンチを行うものであり、
前記給版ガイドユニットにより前記プレートが前記回転ドラムに向けて供給されたときには、該プレートを前記一対の第１の位置決めピンに当接させ、前記給版手段を回転させたまま前記押圧ピンを前記プレートに押し当て、押し当てた後離間させることにより前記一対の第１の位置決めピンと前記基準ピンとによる該プレートの位置決めを行い、位置決め後プレートを回転ドラムに巻き付けるものであることが好ましい。
【００１２】
前記プレート幅方向に移動自在の移動体と、前記プレートの面に平行に回転自在に該移動体に軸支され、回動中心から前記プレートに近づきつつ該プレートの供給方向上流側に延び、先端に前記押圧ピンが取り付けられて該押圧ピンが前記プレートに近づく方向にばね付勢された回動アームとを備え、前記押圧ピンは、前記移動体が前記プレート幅方向に移動自在なものであることにより、該プレート幅方向に移動自在なものであることが好ましい。
【００１３】
前記位置決めピン、基準ピン、および押圧ピンは各々の中心軸回りに回転自在に支持されたローラであることが好ましい。
【００１４】
【発明の実施の形態】
以下、本発明の実施形態について説明する。
【００１５】
図１は、本発明の実施形態に係る画像露光装置１０の斜視図、図２は排版ガイドを除去した状態の斜視図、図３は画像露光装置の概略側面図である。
【００１６】
図１、図２および図３に示すように、本実施形態に係る画像露光装置１０は、表面に感光層を有し、アルミシートからなるプレート１２に画像を露光するものであって、搬送ガイドユニット１４の前方にパンチ部１６が配置されると共に、パンチ部１６の下方に露光部１８が配置されている。
【００１７】
搬送ガイドユニット１４は、略四角形平板状の給版ガイドユニット２０と、その上部に配置された略四角形平板状の排版ガイドユニット２２と、両側に設けられた左フレーム１５ａおよび右フレーム１５ｂとを有している。
【００１８】
搬送ガイドユニット１４は、図１〜図３の後端部に設けられた支点１７を中心として所定角度回動する構造となっており、この回動によって、給版ガイドユニット２０および排版ガイドユニット２２を選択的にパンチ部１６と露光部１８に対向させることができるようになっている。
【００１９】
図２に示すように、給版ガイドユニット２０の前側部位には、円柱状の前部給版ローラ２４および後部給版ローラ２８が回転可能に、かつ給版ガイドユニット２０上に突出するように設けられている。これら給版ローラ２４，２８は給版ローラ駆動モータ１４０（図７参照）で正逆回転されることで、給版ガイドユニット２０上に載置されたプレート１２が前方又は後方へ搬送するようになっている。また、図１に示すように、排版ガイドユニット２２の前部にも円柱状の排版ローラ２９が回転可能に、かつ排版ガイドユニット２２上に突出するように設けられている。この排版ローラ２９が排版ローラ駆動モータ１４１（図７参照）で回転されされることで、排版ガイドユニット２２上に載置されたプレート１２が後方へ搬送されるようになっている。
【００２０】
給版ガイドユニット２０上には台形柱状のリブ２６が多数設けられている。このリブ２６は、前後方向に平行に配置されると共に、給版ガイドユニット２０上への突出高さが給版ローラ２４よりも僅かに低く設定されている。このリブ２６で、給版ローラ２８の回転によってプレート１２の搬送する際の摩擦力の軽減が図られている。
【００２１】
給版ガイドユニット２０の前端には、プレート１２の仮位置決め用に利用されるプリセット部材３０が設けられている。このプリセット部材３０は、プレート１２の前端に進出、退避するようになっている。
【００２２】
給版ローラ２４、２８によってプレート１２が前方へ搬送されると、プレート１２の前端がプリセット部材３０に突き当たる。これにより、プレート１２の前端の仮位置決めがなされる。このプリセット部材３０を下方に退避させると、給版ローラ２４によってプレート１２を給版ガイドユニット２０の前端を越えて前方へ搬送することが可能となる。その後、後述のようにパンチ装置４６の第２の位置決めピン４８Ａ、４８Ｂで本位置決めされる。
【００２３】
図２に示すように、給版ガイドユニット２０の右側部には、給版ローラ２４の後方側近傍において給版ローラ２４，２８と略平行をなすスリット３２が形成されている。このスリット３２の下方にスリット３２と平行をなすように基準ピン移動ユニット３７が配置されている。
【００２４】
図４は、基準ピン移動ユニット３７の斜視図である。同図に示すように、基準ピン移動ユニット３７は、フレーム１００に固定されたガイド部材１０１と、このガイド部材１０１と平行をなし、フレーム１００に回転自在に取り付けられた送りねじ１０２とを有する。移動体１０３は、ガイド部材１０１に摺動自在に装着されると共に、送りねじ１０２にねじ込まれている。基準ピン３６は移動体１０３の上面に回転自在に取り付けられたローラ状のものである。送りねじ１０２はフレーム１００に取り付けられた駆動モータ１０４からタイミングべルト１０５を介して駆動され、これにより移動体１０３は矢印１０６方向に往復動され、基準ピン３６はスリット３２から突出して往復動するようになっている。
【００２５】
基準ピン３６は、給版ガイドユニット２０の右端部の起点位置、すなわち、上部ホームポジションセンサＳ１および下部ホームポジションセンサＳ２による検出位置に予め位置しており、給版ガイドユニット２０に載置されたプレート１２のサイズに応じて基準ピン３６が起点位置から左方へ移動されることで、プレート１２の右端部の基準を決めるようにしている。
【００２６】
基準ピン移動ユニット３７の移動体１０３には、略水平に延びる検出ブラケット１３３が取り付けられている。検出ブラケット１３３が発光素子１３０と受光素子１３１の間に入ると受光素子１３１がオンし、後述のように基準ピン３６のホームポジションを検出する。なお、上部ホームポジションセンサＳ１は搬送ガイドユニット１４がパンチ位置（図３の鎖線位置）にあるときのホームポジション、下部ホームポジションセンサＳ２は搬送ガイドユニット１４が回転ドラム５０への供給位置（図３の実線位置）にあるときの各々のホームポジションを検出するものである。
【００２７】
図２において、給版ガイドユニット２０の左側部位には、給版ローラ２４，２８と略平行をなすスリット３８が形成され、このスリット３８の下方にスリット３８と平行をなすように幅方向移動ユニット３９が配置されている。
【００２８】
図５は、幅方向移動ユニット３９の斜視図である。同図において、幅方向移動ユニット３９は、フレーム１１０、１１１間に固定されたガイド部材１１２，１１３と、このガイド部材１１２，１１３に移動可能に装着された移動体１１４を有する。移動体１１４の上部には、回動アーム１１５が支点１１６を中心に回転自在に取り付けられ、この回動アーム１１５に円柱状の押圧ピン４２が支持軸４０を中心に回転自在に支持されている。押圧ピン４２はスリット３８より突出している。回動アーム１１５は与圧ばね１１９により図５の反時計回り、すなわち、押圧ピン４２が図５の右方に移動する方向に付勢されている。
【００２９】
フレーム１１０、１１１に設けられたプーリ１１７，１１８間にはタイミングベルト１２０が掛け渡され、このタイミングベルト１２０に上記移動体１１４が固定されている。フレーム１１１に設けられたプーリ１１７の軸には駆動プーリ１２１が取り付けられ、この駆動プーリ１２１と、フレーム１１０に取り付けられた駆動モータ１２２のモータプーリ１２２との間にタイミングベルト１２３が掛け渡されている。
【００３０】
図１および図２に示すように、パンチ部１６は、平板状の支持板４４上に設けられた所定数（本実施の形態では２つ）のパンチ装置４６で構成されている。図２に示すように、各パンチ装置４６の後部には、一対の第２の位置決めピン４８Ａ、４８Ｂが設けられている。
【００３１】
パンチ装置４６の下部に設置されている露光部１８は円柱状の回転ドラム５０を備えている。後述のように、パンチ孔の穿設後、パンチ部１６から給版ガイドユニット２０上へ戻されたプレート１２がプリセット部材３０で仮位置決めされると、搬送ガイドユニット１４は前端が下降し図３の実線の位置まで回動されて給版ガイドユニット２０が回転ドラム５０の接線方向に位置され、かつ、プリセット部材３０が給版ガイドユニット２０上面から下降される。この状態でプレート１２は給版ローラ２４によって回転ドラム５０周面上に前端が位置するように搬送される。
【００３２】
図３に示すように、回転ドラム５０の周面には、一対の第１の位置決めピン５２Ａ、５２Ｂが設けられている。さらに回転ドラム５０の周面の、第１の位置決めピン５２Ａ、５２Ｂの近傍には、前端チャック５４が設けられている。前端チャック５４の上方にはカム５６が設けられており、カム５６が前端チャック５４の前側を押圧することで、前端チャック５４の後側が回転ドラム５０周面から離間している。これにより、上述の如く給版ガイドユニット２０から回転ドラム５０周面上に搬送されるプレート１２の前端が前端チャック５４の後側と回転ドラム５０周面との間に挿入され、この状態で上記プレート１２の本位置決めが行われる。
【００３３】
プレート１２の本位置決めが終了した後には、カム５６が回動して前端チャック５４の押圧を解除することで、前端チャック５４内部に設けられた図示しないばねによって前端チャック５４の後側が回動し、これにより、プレート１２の前端を押圧して回転ドラム５０周面にプレート１２の前端が保持される。さらに、回転ドラム５０の周面にプレート１２の前端が保持されると、回転ドラム５０がプレート供給方向の前方（矢印Ａの方向）へ回転され、プレート１２が回転ドラム５０の周面に巻き付けられる。
【００３４】
回転ドラム５０の周面近傍には、カム５６よりも前側において、回転ドラム５０に接触離脱可能のスクイズローラ５８が配設されている。スクイズローラ５８は、回転ドラム５０側へ移動されることで、回転ドラム５０に巻き付けられるプレート１２を回転ドラム５０へ向けて押圧しつつ回転され、プレート１２を回転ドラム５０の周面に密着させる。
【００３５】
さらに、回転ドラム５０の周面近傍には、装着カム５６よりも後方（矢印Ｂ方向）側において、後端チャック着脱ユニット６０が配設されている。後端チャック着脱ユニット６０は、回転ドラム５０へ向けて移動可能のシャフト６２と、シャフト６２の先端に装着された後端チャック６４とを備えており、回転ドラム５０に巻き付けたプレート１２の後端が後端チャック着脱ユニット６０に対向すると、シャフト６２を介して後端チャック６４が回転ドラム５０側へ移動されてプレート１２を回転ドラム５０の所定の位置に固定する同時に、シャフト６２から後端チャック６４が離脱される。これにより、後端チャック６４がプレート１２の後端を押圧して、回転ドラム５０周面にプレート１２の後端が保持される。
【００３６】
このように、前端チャック５４および後端チャック６４によってプレート１２の前端および後端が回転ドラム５０に保持されると、スクイズローラ５８が回転ドラム５０から離間された後に、回転ドラム５０が所定の回転速度で高速回転される。これにより、プレート１２は給版ガイドユニット２０上で搬送されながら回転ドラム５０に巻き付けられていく。
【００３７】
図３および図６に示すように、回転ドラム５０周面の後側近傍には、画像記録部としての記録ヘッド部６６が配設されている。図６に示すように、記録ヘッド部６６には雌ネジ６８が形成されている。さらに、回転ドラム５０周面の後側近傍には、回転ドラム５０の軸５０Ａの方向に平行に送りねじ７０が配設されており、この送りねじ７０の一端（本実施形態では右端）にはパルスモータ（ステッピングモータ）７２が連結されて、パルスモータ７２の駆動によって送りねじ７が回転するようになっている。この送りねじ７０に記録ヘッド部６６の雌ネジ６８が螺合されて支持されている。パルスモータ７２により送りねじ７０が回転されることにより、記録ヘッド部６６が回転ドラム５０の軸線方向へ移動する。
【００３８】
記録ヘッド部６６には原点位置検出センサ７６が設けられており、原点位置検出センサ７６が回転ドラム５０近傍の所定位置に配置された原点マーク７８を検出することで、記録ヘッド部６６が原点位置（ヘッドホームポジション）に配置されるようになっている。
【００３９】
ここで、記録ヘッド部６６は、上述の如く高速回転される回転ドラム５０に向け、この回転ドラム５０の回転に同期させて、読み込まれた画像データに基づいて変調した光ビームを照射レンズ８０から照射し、これにより、プレート１２が画像データに基づいて露光される。この露光処理は、回転ドラム５０を高速で回転させながら（主走査）、記録ヘツド部６６を回転ドラム５０の軸線方向へ移動させる（副走査）、所謂走査露光である。
【００４０】
プレート１２への走査露光が終了すると、後端チャック６４がシャフト６２に対向する位置で回転ドラム５０は一時停止され、シャフト６２の後退動作によって回転ドラム５０から後端チャック６４が取り外されて、後端チャック６４によるプレート１２後端の押圧が解除される。さらに、搬送ガイドユニツト１４が回動されて排版ガイドユニット２２が、図３に実線に示すように回転ドラム５０の接線方向に対向された後、回転ドラム５０が図３の矢印Ｂの方向へ回転されることで、プレート１２が後端側から排版ガイドユニット２２へ排出される。この際、カム５６が回動されて前端チャック５４の前側を押圧することで、前端チャック５４後側によるプレート１２の前端の押圧が解除される。
【００４１】
プレート１２が排版ガイドユニット２２に送られると、排版ローラ２９が回動されて、排版ガイドユニット２２からプレート１２は排出され、これにより、プレート１２が画像露光装置１０に隣接する次工程の現像装置または印刷装置（図示省略）へ搬送される。
【００４２】
図７は、プレート１２の位置決めの制御を行う回路構成図であって、制御部６０に、基準ピン３６の駆動モータ１０４の駆動回路１０４ａ、押圧ピン４２の駆動モータ１２２の駆動回路１２２ａ、給版ローラ２４，２８の駆動モータ１４０の駆動回路１４０ａ、排版ローラ２９の駆動モータ１４１の駆動回路１４１ａが各々接続されている。
【００４３】
図８および図９は、本発明の画像露光装置によるプレート位置決めの動作説明図である。以下、図３、図７および図８および図９を参照しながらプレートの位置決め動作を説明する。
【００４４】
初期状態では、搬送ガイドユニット１４は、図３の鎖線位置に上昇している（初期状態）。まず、プレート１２の長さ、幅、厚み等のサイズ情報を図示しない制御手段に入力した後、プレート１２を給版ガイドユニット２０に載置する。このとき、所謂手差しであってもよいし、自動枚葉装置等による送り込みであってもよい。給版ガイドユニット２０上のプレート１２は、比較的ラフな状態で載置されている。
【００４５】
この状態で、給版ローラ２４、２８によってプレート１２を前方へ搬送して、プレート１２の前端をプリセット部材３０に突き当てる。このとき、給版ローラ２４，２８は自転してプレート１２とスリップしている。
【００４６】
この状態で、図７に示す制御部６０からの信号に基づいてプレート１２の幅サイズ情報から計算された移動量だけ基準ピン３６が移動する。すなわち、プレートの幅サイズ情報の信号により、図４に示す基準ピン移動ユニット３７の駆動モータ１０４が駆動され、タイミングベルト１０５、送りねじ１０２、移動体１０３を介して基準ピン３６および検出ブラケット１３３が、上部ホームポジションセンサＳ１の発光素子１３０と受光素子１３１との間に入り、受光素子１３１がオンする。受光素子１３１がオンした信号により駆動モータ１０４が逆転し、検出ブラケット１３３が上部ホームポジションセンサＳ１の発光素子１３０と受光素子１３１との間から離れる。検出ブラケット１３３が上部ホームポジションセンサＳ１の発光素子１３０と受光素子１３１との間から離れた瞬間の位置を基準ピン３６の起点位置（ホームポジション）とする。
【００４７】
次いで、図５に示す幅方向移動ユニット３９の駆動モータ１２２が駆動され、移動体１１４を介して押圧ピン４２が移動してプレート１２の側縁を押し、プレート１２の反対側の側縁を基準ピン３６に突き当てることで、プレート１２が仮位置決めされる。仮位置決めされた後、押圧ピン４２はプレートから離れるように後退する。この仮位置決め状態では、搬送ガイドユニット１４の給版ガイドユニット２０はパンチ部１６に対向している（図３鎖線位置）。
【００４８】
プリセット部材３０を給版ガイドユニット２０上面から下降させると、給版ローラ２４、２８によってプレート１２は前方へ搬送され、プレート１２の前端がパンチ部１６の一対の第２の位置決めピン４８Ａ、４８Ｂに突き当てられる。このとき、給版ローラ２４，２８は自転してプレート１２とスリップしている。次いで、押圧ピン４２をプレートに押し当ててプレート１２を右方向へ搬送して基準ピン３６に突き当て、その後押圧ピン４２をプレート１２から離間させることにより、パンチ部１６においてプレート１２が給版ガイドユニット２０に載置された状態で本位置決めされる。これにより、プレート１２は一対の第２の位置決めピン４８Ａ、４８Ｂと基準ピン３６の３点で本位置決めされる。この状態でパンチ装置４６でプレート１２にパンチ孔を穿設する。
【００４９】
次に、搬送ガイドユニット１４を回転ドラム５０の接線方向に対向する位置に移動させ、上記と同様プリセット部材３０で仮位置決めした後、給版ローラ２４、２８によってプレート１２は前方へ搬送され、プレート１２の前端が回転ドラム５０の一対の第１の位置決めピン５２Ａ、５２Ｂに突き当てられる。このとき、給版ローラ２４，２８は自転してプレート１２とスリップしている。次いで、押圧ピン４２をプレートに押し当ててプレート１２を右方向へ搬送して基準ピン３６に突き当て、その後押圧ピン４２をプレート１２から離間させることにより、露光部１８においてプレート１２が給版ガイドユニット２０に載置された状態で本位置決めされる。これにより、プレート１２は一対の第１の位置決めピン５２Ａ、５２Ｂと基準ピン３６の３点で本位置決めされる。この状態で前述のように回転ドラム５０にプレート１２が巻き付けられる。
【００５０】
図８は、押圧ピンの配置を示す平面図である。図８に示すように、本発明では、押圧ピン４２のプレート１２に対する当接位置を次のように規定している。すなわち、押圧ピン４２は、基準ピン３６を通り、第２の位置決めピン４８Ａ、４８Ｂどうしを結ぶ直線Ｌ１に対し平行な直線Ｌ２に対して第２の位置決めピン４８Ａ、４８Ｂとは反対側、つまりプレート供給方向上流側に位置して、基準ピン３６が当接する側縁１２ａとは反対側の側縁１２ｂに当接するように構成されている。これにより、押圧ピン４２の当接点Ｐと基準ピン３６を結ぶ直線Ｌ３と上記直線Ｌ２とは所定の角度αを持つことになる。
【００５１】
この構成により、押圧ピン４２でプレート１２の側部１２ｂを押圧したとき、図８に示すように、プレート１２には基準ピン３６を支点に回転モーメントＭが加わる。
【００５２】
図９（ａ）および（ｂ）は、回転モーメントＭによりプレート１２が回動した状態を示している。押圧ピン４２の押圧により、図９（ａ）に示すように、プレート１２は左側の第２の位置決めピン４８Ａから離れる。このときの直線Ｌ１とプレート１２の前端縁とのなす角をθとする。
【００５３】
この状態で、図９（ｂ）に示すように、プレート１２から押圧ピン４２が離間すると、プレート１２には給版ローラ２４，２８の回転方向の力Ｆｒの分力Ｆｒ・ｓｉｎθの力が懸かり、この力は基準ピン３６の方向に向くためプレート１２は基準ピン３６に近づいて側縁１２ａが基準ピン３６に当接し、この状態でプレート１２は矢印Ａ方向に回動し、最終的に図８のように前端縁が第２の位置決めピン４８Ａ、４８Ｂに、他側縁１２ｂが基準ピン３６に当接して３点位置決めがなされる。
【００５４】
なお、図８、図９では、第２の位置決めピン４８Ａ、４８Ｂのみ示しているが、第１の位置決めピン５２Ａ、５２Ｂは、第２の位置決めピン４８Ａ、４８Ｂとプレート１２に対する相対位置関係は同じであるため、上記の説明は第１の位置決めピン５２Ａ、５２Ｂにもそのまま適用される。
【００５５】
図１０（ａ）は、比較のため、押圧ピン４２が、直線Ｌ２に対してプレート供給方向下流側に位置した構成の例を示している。
【００５６】
この構成では、押圧ピン４２の押圧により、図１０（ｂ）に示すように、プレート１２は左側の第２の位置決めピン４８Ｂから離れる。このときの直線Ｌ１とプレート１２の前端縁とのなす角をθとする。
【００５７】
この状態で、押圧ピン４２が鎖線で示すようにプレート１２から離間すると、プレート１２には給版ローラ２４，２８の回転方向の力であるＦｒの分力Ｆｒ・ｓｉｎθの力が懸かり、この力は基準ピン３６と反対の方向に向くためプレート１２は基準ピン３６から遠ざかり、図１０（ｃ）に示すように、他側縁１２ｂが基準ピン３６から離れ、３点位置決めが成立しなくなる。
【００５８】
図１１は、移動体１１４の上部に回動アーム１１５が支点１１６を中心に回転自在に取り付けられた、図５に示す幅方向移動ユニット３９を使用する場合の押圧ピンの動作説明図である。
【００５９】
押圧ピン４２がプレート１２の側縁１２ｂに当接し、側縁１２ｂで押されるにしたがって押圧ピン４２はプレート１２供給の上流方向に距離ｔだけ移動する。これにより、上記した矢印方向の回転モーメントＭがプレート１２によりかかりやすくなり、プレートは左側の第２の位置決めピン４８Ａ（第１の位置決めピン５２Ａも同じ）から確実に離れる。但し、押圧ピン４２の当たる位置が直線Ｌ２から離れるほど回転モーメントは大きくできるので、押圧ピン４２は単にプレート方向に直線移動する構成でもよい。
【００６０】
【発明の効果】
以上説明したように、本発明の画像露光装置によれば、プレートが基準ピンを支点に回転して押圧ピン側の位置決めピンから一旦離れた後給版ローラの回転でプレート前端縁が一対の位置決めピンに当接するので、基準ピンからプレート側縁が離れることなく、基準ピンと一対の位置決めピンとの３点で正確に位置決めされ、安価な構成で高精度のプレート位置決めが可能となる。
【図面の簡単な説明】
【図１】本発明の実施形態に係る画像露光装置の斜視図である。
【図２】本発明の画像露光装置の排版ガイドユニットを除去した状態の斜視図である。
【図３】本発明の画像露光装置を模式的示す概略的側面図である。
【図４】基準ピン移動ユニットの斜視図である。
【図５】幅方向移動ユニットの斜視図である。
【図６】本発明の画像露光装置を模式的に示す平面図である。
【図７】本発明の画像露光装置の位置決め制御の制御回路図である。
【図８】本発明の画像露光装置における押圧ピンの配置を示す平面図である。
【図９】プレート位置決めの動作説明図である。
【図１０】押圧ピンの配置とプレート位置決めの比較例を示す平面図である。
【図１１】押圧ピンの他の構造例を示す動作説明図である。
【符号の説明】
１０    画像露光装置
１２    プレート
１４    搬送ガイドユニット
２０    給版ガイドユニット
２２    排版ガイドユニット
２４、２８    給版ローラ
３６    基準ピン
３７    基準ピン移動ユニット
３９    幅方向移動ユニット
４２    押圧ピン
４６    パンチ装置
４８Ａ、４８Ｂ    第２の位置決めピン
５０    回転ドラム
５２Ａ、５２Ｂ    第１の位置決めピン
６０    制御部
１０４    基準ピン駆動モータ
１２２    押圧ピン駆動モータ
１４０    給版ローラ駆動モータ
１４１    排版ローラ駆動モータ
Ｌ１，Ｌ２    直線
【図１】
2004294531.tif 000003
【図２】
2004294531.tif 000004
【図３】
2004294531.tif 000005
【図４】
2004294531.tif 000006
【図５】
2004294531.tif 000007
【図６】
2004294531.tif 000008
【図７】
2004294531.tif 000009
【図８】
2004294531.tif 000010
【図９】
2004294531.tif 000011
【図１０】
2004294531.tif 000012
【図１１】
2004294531.tif 000013